(57)【要約】【課題】内継手部材の前耳係止部の軒樋への係止が容易で且つ確実な係止保持ができる軒樋接続装置を提供する。【解決手段】軒樋１を軒長手方向の突合せ接続する際に用いられる軒樋接合装置の内継手部材２について、軒樋１の前側耳部１１の開口部１３に前耳係止部２４を挿入する際に、凸起リブ２６のテーパ２６aの表面が前側耳部１１の上端部１２の角部１２cに接触しながら、凸起リブ２６が前側耳部１１の開口部１３に先導し挿入されることによって、前耳係止部２４が前側耳部１１の上端部１２の側面１２aに当たることがなく、挿入の困難さを解消できる。しかも、前耳係止部２４の係止保持するための形状は変更されていないので、係止保持力を確保することができる。【選択図】図１
2007315004.tif 000002
【特許請求の範囲】
【請求項１】
軒長手方向に突合せ接合された軒樋の該突合せ接合部の内側面に、両軒樋に跨がり且つ軒樋の内面に接触するよう嵌合させる内継手部材であって、内継手部材の内前板部の外側面に軒長手方向の全長に亘って前耳係止部が突設形成され、両軒樋の前側壁には内側へ開口する略コ字型であって軒長手方向へ前側耳部が形成されており、前耳係止部を前側耳部の開口部に挿入し、前耳係止部の上面を開口部の上端部下面に当接することによって内継手部材を両軒樋に係止結合する軒樋接続装置において、前耳係止部の下面に凸起リブが突設形成され、凸起リブの前端部分は前耳係止部の前端よりも突出し、突出部の上側にはテーパが設けられており、前耳係止部を前側耳部の開口部に挿入する際に開口部の上端角部とテーパ表面とが接するように成したことを特徴とする軒樋接続装置。
【請求項２】
両軒樋に跨がり且つ軒樋の外面に沿って接触するように配設され、両軒樋の端部同士を内継手部材とで挟着接続する、外継手部材を設けたことを特徴とする請求項１記載の軒樋接続装置。
【請求項３】
凸起リブを軒長手方向に任意の間隔で二箇所に設けたことを特徴とする請求項１又は２記載の軒樋接続装置。
【発明の詳細な説明】
【技術分野】
【０００１】
本願発明は、軒樋接続装置に係り、さらに詳しくは、軒樋接続部の内側に内継手部材を挿入する軒樋接続装置に関する。
【背景技術】
【０００２】
従来から、特開２００２−３４９０２６号公報（特許文献１）に示されるように、軒樋外側面、内側面に各々沿って配設される外継手部材と内継手部材とで、相対向する同軒樋の端部同士を挟着接続してなる軒樋接続装置は知られている。この場合、図４に示すように、内継手部材２は軒樋１の内側面に沿った形状であって、内底板部２１と、内底板部２１の前後に立設される内前板部２２及び内後板部２３とでなり、外継手部材３は前記軒樋１の外側面に沿った形状であって、外継手部材３は外底板部３１と、外底板部３１の前後に立設される外前板部３２及び外後板部３３とでなる。
【０００３】
内前板部２２には前耳係止部２４が形成されており、前耳係止部２４は軒樋１の前側耳部１１の上端部１２の下側に係止されることによって、内継手部材２は軒樋１に係止結合される。
【特許文献１】特開２００２−３４９０２６号公報
【発明の開示】
【発明が解決しようとする課題】
【０００４】
しかしながら、上記従来例である軒樋接続装置にあっては、図５に示すように、内継手部材２の前耳係止部２４が全長にわたり形成されており、図６に示すように、前耳係止部２４の挿入前状態を実線、挿入後状態を破線で表しているが、軒樋１の上端部１２の下側に挿入し係合する際に、前耳係止部２４の先端が上端部１２の側面１２aに当たり、挿入が困難となる場合があった。また、挿入が容易となるように、前耳係止部２４の位置をＡ方向へ下げることで、上端部１２の側面１２aへの当たりを緩和することも可能であるが、前耳係止部２４の凸部２４aが上端部１２の側面１２ｂに接触保持されることで係止を維持することとなるため、前耳係止部２４の位置をＡ方向へ下げると、凸部２４aと上端部１２の側面１２ｂとの接触面積が小さくなることで係止保持力が小さくなり、確実な係止が困難となる。
【０００５】
本願発明は、上記背景技術に鑑みて発明されたものであり、その目的は、内継手部材の前耳係止部の軒樋への係止が容易で且つ確実な係止保持ができる軒樋接続装置を提供することである。
【課題を解決するための手段】
【０００６】
上記課題を解決するために、本願請求項１記載の発明では、軒長手方向に突合せ接合された軒樋の該突合せ接合部の内側面に、両軒樋に跨がり且つ軒樋の内面に接触するよう嵌合させる内継手部材であって、内継手部材の内前板部の外側面に軒長手方向の全長に亘って前耳係止部が突設形成され、両軒樋の前側壁には内側へ開口する略コ字型であって軒長手方向へ前側耳部が形成されており、前耳係止部を前側耳部の開口部に挿入し、前耳係止部の上面を開口部の上端部下面に当接することによって内継手部材を両軒樋に係止結合する軒樋接続装置において、前耳係止部の下面に凸起リブが突設形成され、凸起リブの前端部分は前耳係止部の前端よりも突出し、突出部の上側にはテーパが設けられており、前耳係止部を前側耳部の開口部に挿入する際に開口部の上端角部とテーパ表面とが接するように成したことを特徴としている。
【０００７】
本願請求項２記載の発明では、上記請求項１記載の樋支持具において、両軒樋に跨がり且つ軒樋の外面に沿って接触するように配設され、両軒樋の端部同士を内継手部材とで挟着接続する、外継手部材を設けたことを特徴としている。
【０００８】
本願請求項３記載の発明では、上記請求項１又は２記載の樋支持具において、凸起リブを軒長手方向に任意の間隔で二箇所に設けたことを特徴としている。
【発明の効果】
【０００９】
本願請求項１記載の発明の軒樋接続装置においては、軒樋を軒長手方向の突合せ接続する際に用いられる軒樋接合装置の内継手部材について、軒樋の前側耳部の開口部に前耳係止部を挿入する際に、凸起リブのテーパ面が前側耳部の上端部の角部に接触しながら、凸起リブが前側耳部の開口部に先導し挿入されることによって、前耳係止部が前側耳部の上端部側面に当たることがなく、挿入の困難さを解消できる。しかも、前耳係止部の係止保持するための形状は変更されていないので、係止保持力を確保することができる。
【００１０】
本願請求項２記載の発明の軒樋接続装置においては、内継手部材と外継手部材で軒樋を挟み結合することによって、両軒樋の接続をより安定したものとすることができる。
【００１１】
本願請求項３記載の発明の軒樋接続装置においては、凸起リブを前耳係止部の全辺に亘って形成することで、全辺を厚肉とした場合に、厚肉部が一様に上端部下側に挿入されず、傾いた状態で一部の厚肉部が先行して挿入されることで、挿入時の安定性が低下する場合があるが、一部に突設されるリブ形状とすることで、一部の厚肉部が先行して挿入がされることを防止することができ、また、軒長手方向に任意の間隔で二箇所に凸起リブを形成することにより、挿入の際の傾きを防止し、安定した状態での挿入ができる。
【発明を実施するための最良の形態】
【００１２】
図１〜３は本願発明の実施形態である軒樋接続装置を示しており、図１は軒樋接続装置を示す断面図、図２は軒樋接続装置を示す要部側面図、図３は軒樋接続装置の内継手部材を示す斜視図であり、該実施形態の軒樋接続装置は、軒樋１の外側面と内側面に各々沿って配設される内継手部材２及び外継手部材（図示せず）とで、相対向する同軒樋１の端部同士を挟着接続してなるものである。内継手部材２の内前板部２２の外側面に軒長手方向の全長に亘って前耳係止部２４が突設形成され、両軒樋１の前側壁には内側へ開口する略コ字型であって軒長手方向へ前側耳部１１が形成されており、前耳係止部２４を前側耳部１１の開口部１３に挿入し、前耳係止部２４の上面を開口部１３の上端部１２の下面に当接することによって内継手部材２を両軒樋１に係止結合している。前耳係止部２４の下面には凸起リブ２６が突設形成され、凸起リブ２６の前端部分は前耳係止部２４の前端よりも突出しており、突出部の上側にはテーパ２６aが設けられ、前耳係止部２４を前側耳部１１の開口部１３に挿入する際に開口部１３の上端部１２の角部１２aとテーパ２６aの表面とが接するように成されている。また、凸起リブ２６は前耳係止部２４の軒長手方向に任意の間隔で二箇所に設けられている。
【００１３】
以下、この実施形態の軒樋接続装置を、より具体的詳細に説明する。図１に示すように、内継手部材２は軒樋１の内側面に沿った形状で、合成樹脂で一体に射出成形されたものである。内継手部材２は内底板部２１と、内底板部２１の前後に立設される内前板部２２及び内後板部２３とでなる。ここで、内継手部材２は、軒長手方向に突合せ接合された軒樋１の該突合せ接合部の内側面に、両軒樋１に跨がり且つ両軒樋１の内面に接触するように嵌合させることによって、両軒樋１を接続する機能を果たしている。内継手部材２の内前板部２２の上端縁部分は二股状に分岐するように前耳係止部２４と後側分岐片２５が形成されており、分岐された前側の片である前耳係止部２４が軒樋１の前側耳部１１の上端部１２の下側に係止され、さらには、前耳係止部２４の凸部２４aが上端部１２の側面１２ｂに当接することによって、内継手部材２は両軒樋１に確実に係止保持され容易に離脱することがない。また、内前板部２２の分岐形成された後側の片である後側分岐片２５は斜め後上方へ突設され、後側分岐片２５を把持して容易に前耳係止部２４と上端部１２との着脱作業を行うことができる。
【００１４】
外継手部材３については、従来例の説明で用いた図４に示すように、軒樋１の外側面に沿った形状であって、合成樹脂で一体に射出成形されたものである。外継手部材３は外底板部３１と、外底板部３１の前後に立設される外前板部３２及び外後板部３３とでなり、両軒樋１に跨がり且つ軒樋１の外側に接触するように配設される。両軒樋１の前側耳部１１に外継手部材３の外前板部３２の端部に形成されている前耳保持部３５が係止され、さらには、両軒樋１の後側耳部１４に外継手部材３の外後板部３３の端部に形成されている後耳保持部３６が係止されることによって、外継手部材３が軒樋１に係止保持されている。
【００１５】
このように、該実施形態の軒樋接続装置は、相対向する同軒樋１の端部同士を内継手部材２と外継手部材３とで挟着して確実に接続することができる。
【００１６】
図２に示すように、前耳係止部２４の下面には凸起リブ２６が突設形成されている。凸起リブ２６の形状については、前耳係止部２４を軒樋１の前側耳部１１の上端部１２の下側に挿入する際に、上端部１２の角部１２cと凸起リブ２６のテーパ２６aの表面が接するように成すことで、テーパ２６aがガイドの役割を果たして、凸起リブ２６が上端部１２の下側へ前耳係止部２４よりも先導して挿入されていく。このことにより、前耳係止部２４は上端部１２の側面１２aに当たることなく、上端部１２の下側へ容易に挿入し係止することができる。
【００１７】
ここで、凸起リブ２６を前耳係止部２４の全辺に亘って形成した場合には、前耳係止部２４に一定の厚肉部が形成されることとなり、前耳係止部２４を上端部１２の下側へ挿入する際に、傾いた状態であった場合は、厚肉部が一様に上端部１２の下側に挿入されず、例えば厚肉部の辺端部が先行して挿入されることにより、安定した挿入が困難となる。また、厚肉部を前耳係止部２４の全辺に形成する成型過程において、厚肉部は十分な材料の充填が必要な箇所となり、成型不良現象によって表面に凹痕が発生する可能性が高まる。凹痕が発生した場合には、上端部１２の角部１２cが該凹痕の段差に引っ掛かることで、挿入が困難となる。
【００１８】
これを解決するために、図３に示すように、凸起を前耳係止部２４の軒長手方向に任意間隔で二箇所にリブ状で形成する。ここで、形成される凸起リブ２６は傾いた状態での挿入、特に前耳係止部２４の辺端部が先行して挿入されることを防止するために、凸起リブ２６は前耳係止部２４の辺端部には形成しないことが望ましい。さらに、凸起リブ２６を任意間隔で二箇所に形成することにより、二箇所のテーパ２６aの表面が共に上端部１２の角部１２cに接した状態となってから凸起リブ２６及び前耳係止部２４が挿入されることにより、前耳係止部２４が傾いた状態での挿入を防止することも可能となる。また、凸起をリブ状とすることによる成型過程での材料充填不良による凹痕の発生を防ぐこともできる。
【００１９】
軒樋接続装置の挟着接続の手順は、軒長手方向に突合せ接合された軒樋１の該突合せ接合部の内側面に、両軒樋１に跨がり且つ軒樋１の内面に接触するよう内継手部材２を挿入するが、まず、両軒樋１に内継手部材２の内後板部２３に突設された後耳係止片２７を軒樋１の後側壁に形成されている後側耳部１４の凹部１５に収容係止させる。その後、内継手部材２の前側壁の外側面に巾方向の全長に亘って突設形成した前耳係止部２４を、両軒樋１の前側壁に内側へ開口する略コ字型であって巾方向へ形成した前側耳部１１の開口部１３に挿入していき、前耳係止部２４の凸部２４aが上端部１２の下面を通過し、上端部１２の側面１２ｂに当接されるまで挿入することで、内継手部材２を両軒樋１に確実に係止結合される。さらに、外継手部材の軒樋１への係止については、図４に示したように、外継手部材３を両軒樋１に跨がり且つ軒樋１の外側に接触するように配設し、両軒樋１の前側耳部１１に外継手部材３の外前板部３２の端部に形成されている前耳保持部３５が係止され、さらには、両軒樋１の後側耳部１４に外継手部材３の外後板部３３の端部に形成されている後耳保持部３６が係止される。このことによって、両軒樋１は内継手部材２と外継手部材３とで挟着接続される。
【００２０】
したがって、この実施形態の軒樋接続装置においては、軒樋１を軒長手方向の突合せ接続する際に用いられる軒樋接合装置の内継手部材２について、軒樋１の前側耳部１１の開口部１３に前耳係止部２４を挿入する際に、凸起リブ２６のテーパ２６aの表面が前側耳部１１の上端部１２の角部１２cに接触しながら、凸起リブ２６が前側耳部１１の開口部１３に先導し挿入されることによって、前耳係止部２４が前側耳部１１の上端部１２側面１２bに当たることがなくなり、挿入の困難さを解消できる。しかも、前耳係止部２４の係止保持するための形状は変更されないため、係止状態での前耳係止部２４の凸部２４aと上端部１２の側面１２ｂとの接触面積は変わることがなく、係止保持力を確保することができる。
【００２１】
また、内継手部材２と外継手部材３で軒樋１を挟み結合することによって、両軒樋１の接続をより安定したものとすることができる。
【００２２】
さらには、凸起リブ２６を前耳係止部２４の全辺に亘って形成することで、全辺を厚肉とした場合に、厚肉部が一様に上端部１２の下側に挿入されず、傾いた状態で一部の厚肉部が先行して挿入されることで、挿入時の安定性が低下する場合があるが、一部に突設されるリブ形状とすることで、一部の厚肉部が先行して挿入がされることを防止することができ、また、軒長手方向に任意の間隔で二箇所に凸起リブ２６を形成することにより、挿入の際の傾きを防止し、安定した状態での挿入ができる。
【図面の簡単な説明】
【００２３】
【図１】本願発明の実施形態である軒樋接続装置の取り付け状態を示す断面図。
【図２】同軒樋接続装置を示す要部断面図。
【図３】同軒樋接続装置の内継手部材を示す斜視図。
【図４】従来例である軒樋接続装置の取り付け状態を示す断面図。
【図５】同軒樋接続装置を示す要部斜視図。
【図６】同軒樋接続装置を示す要部断面図。
【符号の説明】
【００２４】
１  軒樋
１１  前側耳部
１２  上端部
１２a、１２b  側面
１２c  角部
１３  開口部
１４  後側耳部
１５  凹部
２  内継手部材
２１  内底板部
２２  内前板部
２３  内後板部
２４  前耳係止部
２４a  凸部
２５  後側分岐片
２６  凸起リブ
２６a  上面
２７  後耳係止片
３  外継手部材
３１  外底板部
３２  外前板部
３３  外後板部
３４  凸起片
３５  前耳保持部
３６  後耳保持部
【図１】
2007315004.tif 000003
【図２】
2007315004.tif 000004
【図３】
2007315004.tif 000005
【図４】
2007315004.tif 000006
【図５】
2007315004.tif 000007
【図６】
2007315004.tif 000008